(57)【特許請求の範囲】
【請求項１】
文書の頁画像を処理する方法であって、
ａ）前記文書の第１面の少なくとも一部を表示するイメージデータを受取る段階と、
ｂ）前記第１面のイメージデータから一組の関連成分を抽出する段階と、
ｃ）前記第１面のイメージデータから前記一組の関連成分を示す画素を消去する段階と、
ｄ）段階ｃ）によって処理された前記第１面のイメージデータに含まれる前記文書の第２面からの裏写り画像の特徴成分を抽出して前記一組の関連成分に対応付ける段階と、を含むことを特徴とする頁画像処理方法。
【請求項２】
請求項１に記載の頁画像処理方法において、
前記裏写り画像の特徴成分を抽出する段階が、前記段階ｃ）によって処理された複数の頁の前記第１面のイメージデータから前記裏写り画像の特徴成分を探す処理を含むことを特徴とする頁画像処理方法。
【請求項３】
請求項１に記載の頁画像処理方法において、
ｅ）前記文書の第２面をスキャンし、第２面のイメージデータを得る段階と、
ｆ）前記第２面のイメージデータから前記一組の関連成分を表示する画素を除去する段階と、
ｇ）前記段階ｆ）によって処理された前記第２面のイメージデータにより表される特定イメージの特徴成分を抽出する段階と、を含むことを特徴とする頁画像処理方法。
【請求項４】
請求項３に記載の頁画像処理方法において、
前記裏写り画像の特徴成分と前記第２面の特定イメージの特徴成分とを照合することによって、前記文書の頁の前記第１面に対応する前記文書の第２面を確認する段階を含むことを特徴とする頁画像処理方法。
【請求項５】
請求項４に記載の頁画像処理方法において、
ハウスドルフ ディスタンス メトリックを使用し、前記裏写り画像の特徴成分と前記第２面の特定イメージの特徴成分とを対応させるようにしたことを特徴とする頁画像処理方法。
【請求項６】
請求項４に記載の頁画像処理方法において、
ユウクリッド ディスタンス メトリックを使用し、前記裏写り画像の特徴成分と前記第２面の特定イメージの特徴成分とを対応させるようにしたことを特徴とする頁画像処理方法。
【請求項７】
請求項１に記載の頁画像処理方法において、
前記一組の関連成分を抽出する段階及び前記裏写り画像の特徴成分を抽出する段階でそれぞれ抽出された成分をＣＣＩＴＴで定義されたグループ４の圧縮処理により圧縮することを特徴とする頁画像処理方法。
【請求項８】
請求項１に記載の頁画像処理方法において、
前記一組の関連成分を抽出する段階及び前記裏写り画像の特徴成分を抽出する段階でそれぞれ抽出された特徴が文書の言語の長さを算出するために使用されることを特徴とする頁画像処理方法。
【請求項９】
請求項１に記載の頁画像処理方法において、
前記文書の第１面の少なくとも一部を表示するイメージデータを受取る段階が前記文書の第１面におけるスキャンを含むことを特徴とする頁画像処理方法。
【請求項１０】
多頁の文書を処理する方法であって、
ａ）前記多頁の文書の複数の頁の表面をスキャンし、各表面のイメージデータを得る段階と、
ｂ）前記各表面に対し、前記イメージデータにおける前記表面の印刷された事項に対応する印刷領域を識別する段階と、
ｃ）前記各表面における裏面側からの裏写り画像を前記印刷領域外の画像領域から抽出する段階と、
ｄ）多頁の文書の前記複数の頁の裏面をスキャンし、各前記裏面のイメージデータを得る段階と、
ｅ）前記裏面のイメージデータを前記抽出した裏写り画像データと照合して、表面と裏面を識別する段階と、を含むことを特徴とする頁画像処理方法。
【請求項１１】
請求項１０に記載の頁画像処理方法において、
前記裏面のイメージデータと前記裏写り画像データとの照合の結果に応じて前記多頁の文書の再生を管理する段階を含むことを特徴とする頁画像処理方法。
【請求項１２】
請求項１０に記載の頁画像処理方法において、
前記裏面のイメージデータと前記裏写り画像データとの照合の結果に応じて前記多頁の文書のファックスを管理する段階を含むことを特徴とする頁画像処理方法。
【請求項１３】
多頁の文書の複数の表面をスキャンし、各表面のイメージデータを得ると共に、前記多頁の文書の複数の裏面をスキャンし、各前記裏面のイメージデータを得るスキャナーと、イメージ処理システムを備え、
前記イメージ処理システムは、
ａ）各前記表面に対し、前記イメージデータにおける前記表面に印刷された事項に対応する印刷領域を識別し、
ｂ）各前記表面における裏面側からの裏写り画像を前記印刷領域外の画像領域から抽出し、
ｃ）前記裏面の前記イメージデータと前記抽出した裏写り画像のデータを照合して、対応する表面と裏面を識別することを特徴とする頁画像処理システム。
【請求項１４】
請求項１３に記載の頁画像処理システムにおいて、
前記イメージ処理システムが、前記対応した表面と裏面に相当する文書の再生を管理することを特徴とする頁画像処理システム。
【請求項１５】
請求項１３に記載の頁画像処理システムにおいて、
前記イメージ処理システムが、前記対応した表面と裏面に相当する文書のフアックスを管理することを特徴とする頁画像処理システム。
【請求項１６】
請求項２に記載の頁画像処理方法を実行しつつ多頁の文書を複写する方法であって、
複数の文書の頁をスキャンし、前記複数の文書の各頁のイメージデータを得る段階と、
前記複数の文書の各頁の前記イメージデータを記憶する段階と、
前記複数の文書の各頁の前記イメージデータを互いに比較し、２回スキャンした頁を識別する比較段階と、を含むことを特徴とする多頁文書複写方法。
【請求項１７】
請求項１６に記載の多頁文書複写方法において、
前記比較段階において、２回スキャンされた頁を識別する場合に、警告を表示する段階を含むことを特徴とする多頁文書複写方法。
【請求項１８】
請求項１６に記載の多頁文書複写方法において、
前記イメージデータに基づいて、前記複数の頁の複写を印刷する段階を含み、前記比較段階において識別された２回スキャンされた各頁に対して、１枚ずつ複写を印刷することを特徴とする多頁文書複写方法。
【発明の詳細な説明】
【０００１】
【発明の属する技術分野】
本発明は文書（ここでは文書類一般を含むドキュメントを指す）の画像処理に関し、詳しくは、ドキュメントの両面を取扱うこと（ｄｕｐｌｅｘ ｄｏｃｕｍｅｎｔ ｈａｎｄｌｉｎｇ）に関する。
【０００２】
【従来の技術】
両面複写は事務処理用複写システムにおいて、重要な役割を果たしている。コンピュターを用いて、文書イメージを記憶する方法は、今後、大いに発展すると思われるが、紙面も証拠として文書を保存する上で、依然として、優れており、多量に消費されている。もし、書類の頁の両面が使用されるならば、紙の使用量は５０％削減することが可能である。
【０００３】
【発明が解決しようとする課題】
しかしながら、複写やスキャン、ファックスのような事務処理において、両面使用の書類の取扱いには多くの問題がある。各頁はスキャンシステムによって、２回通らなければならないので、紙面の供給機構がかなり複雑になる。頁の表面と裏面の順序を対応させることも、なかなか難しい。奇数頁番号の文書を紙面の両面に複写する時には、文書の最初の頁が最後の頁よりも、むしろ、片面複写になることが多い。同じ様な問題がファックス、スキャンにも発生する可能性がある。
【０００４】
これを解決する１つの対策は日本特許第７,２８３,９０６号に公示されており、別々のＣＣＤセンサーを有する２個のスキャナーシステムを使用して、頁の表面と裏面の両方が同じ経路でスキャンするようになっている。この方式ではＣＣＤセンサーだけでなく、他のスキャン装置が２倍必要になるので、実施にあたっては、非常に高価になる。
【０００５】
そこで、複写、スキャン、または、ファックスする場合の改善された経済的なシステムと文書の両面を処理する方法が必要になってくる。
【０００６】
【課題を解決するための手段】
本発明は、ドキュメントからの裏写り画像を活用することにより、ドキュメントの両面を取扱うシステムと方法の改善を図るものである。すなわち、裏写り画像を用いて文書の各頁の表面とその裏面のイメージを互いに対応付けることにより、複写、ファックス、スキャン等において、正しい順序の文書を提供するものである。本発明は、さらに、複数の文書の各頁のイメージデータを比較することにより、頁の二重写しを防ぐものである。
【０００７】
本発明の文書取扱システムでは、好ましくは最初に多頁の文書の頁の表面をスキャンする。裏面に対応するスキャンされたイメージの切り出した部分を選定するために、システムは最初にスキャンされたイメージの中で表面の画像内容に対応する関連成分を識別する。これらの関連成分を除去することによって、裏面のイメージを取り出し、システムはそのイメージから特徴を抽出する。裏面のイメージが直接スキャンされた後に、同様の特徴が抽出されて、裏面は表面に対応することができる。文書反転検出によって、見逃した頁を検出し、修正ことができる。
【０００８】
本発明の第１の特徴としては、第１面のイメージデータを得る段階と、第１面のイメージデータから一組の関連成分を抽出する段階と、第１面のイメージデータから一組の関連成分を示す画素を消去する段階と、消去段階で処理された第１面のイメージデータからの裏写り画像の特徴成分が抽出する段階と、を含み、裏写り画像の特徴成分が文書の第２面の裏写り画像を表すようにした文書の頁の取扱方法を提供することである。この裏写り画像は裏面と照合され、見逃したスキャンを検出することができる。
【０００９】
本発明の更なる特徴は、最近のイメージ処理手法を利用して、片面、または、両面の複写を質的に向上させることである。即ち、本発明の第２の特徴としては、文書の複数の頁をスキャンし、各頁のイメージデータをとらえる段階と、複数の頁の各頁のイメージデータを記憶する段階と、複数の文書の各頁のイメージデータを比較し、２回スキャンした頁を識別する段階と、を含む多頁の文書を複写する方法を提供することにある。この方法を使用することによって、頁の二重複写を防ぐことができる。
【００１０】
更に、本発明の特質および利点は本明細書および添付図面に示された内容を参照することによって、理解することができる。
【００１１】
【発明の実施の形態】
本発明は最新のイメージ処理方法を利用して、改善された文書取扱システムを提供する。本発明の改善された文書取扱システムは、例えば、複写機、ファクシミリ機、スキャナー等のような通常の事務機械と関連して使用される。特に頁の両面の書画像情報が印刷された文書の取扱い（例えば、文書原稿のみならず画像又は文書と画像の複合書面である原稿の書画像を読み取る処理）を改善すると共に、文書の偶発的な二重スキャンを修正することができる。
＜本発明の実施に適したシステム＞
図１に本発明を実施するために適したコンピューターシステム１０の基本的なサブシステムを示す。図１においては、コンピューターシステム１０はバス１２を有する。このバス１２には、中央処理装置１４、システムメモリー１６、入出力コントローラ１８、パラレルポート２２を有するプリンター２０のような外部装置、ディスプレーアダプター２６を有する表示画面２４、シリアルポート２８、キーボード３０、固定ディスクドライブ３２、フロッピーディスク３３Ａを受け入れて駆動するフロッピーディスクドライブ３３のような主要装置が接続されている。多くの他の装置、例えば、入出力コントローラ１８に接続されたスキャナー３４、シリアルポート２８に接続されたマウス３６、または、ネットワークインターフェース４０のような装置も接続することができる。同様に、他の多くの装置やサブシステム（図示されてない）が接続される。下記に説明するように、本発明を実施するためには、図１に示されたすべての装置が必ずしも必要とは限らない。この装置やサブシステムは図１と異なる方式で接続することもできる。図１に示すようなコンピューターシステムの操作は技術的によく知られているので、本願では、詳細に説明しない。本発明を実施するためのソースコードはシステムが作動するようにシステムメモリー１６に納められているか、または、固定ディスク３２やフロッピーディスク３３Ａのような記憶媒体に記憶される。イメージ情報は固定ディスク３２に記憶することもできる。
【００１２】
図２は本発明を実施するために適した複写機１００の概略構成を示す。
複写機１００は入側文書トレー１０２、スキャナー１０４、イメージ処理装置１０６、記憶装置１０８、プリンター１１０を備えている。操作としては、使用者（ユーザ）は多頁の文書（ドキュメント）を入側文書トレー１０２に入れる。紙面通路１１２は入側文書トレー１０２とスキャナー１０４の間にある。紙面は個々に入側文書トレー１０２からスキャナー１０４を通り、最終的には入側文書トレー１０２へ返る。紙面がスキャナー１０４を通る間に、スキャナー１０４内のイメージ検出器１１４は、文書の各頁のイメージをとらえる。イメージ検出器１１４としては、例えば、ＣＣＤ（Charge Coupled Device）センサーが使用される。イメージ処理装置１０６はスキャナー１０４でとらえたイメージデータを受け取る。本発明ではイメージ処理装置１０６の機能を利用して、記憶システム１０８にスキャンされた文書イメージデータを記憶させる。イメージ処理装置１０６は記憶装置１０８に元のイメージデータを記憶させだけでなく、抽出された特徴も記憶させる。この抽出された特徴は、スキャンされた各文書のイメージを表示するものである。上記の中間的な記憶と他の処理を行った後、プリンター１１０で文書の各頁のイメージデータが印刷されて、複写は完了する。記憶装置１０８は、例えばハードディスクドライブ、書き込み可能な光学的ドライブ、磁気テープドライブ、または、他の記憶装置である。
【００１３】
図３に本発明を実施するために適したファクシミリ機１１６を示す。
複写機１００のように、ファクシミリ機１１６には入側文書トレー１０２、スキャナー１０４、イメージ処理装置１０６、記憶装置１０８が備えられている。ファックス送信される原稿文書は、入側文書トレー１０２に入れられ、１頁ずつ紙面通路１１２を経由して、スキャナー１０４を通過し、入側文書トレー１０２へ返る。しかしながら、この文書は複写機１００のように複写されずに、その文書を表示するイメージデータが、イメージ処理装置１０６によって、モデム１１８へ送られ、アナログまたはデジタル信号に変換されて、電話ネットワーク１２０を経由して、遠隔地へ伝送される。
【００１４】
複写機１００およびファクシミリ機１１６を上記に簡単に説明したが、例えば、紙面通路１１２は色々と変形することができる。紙面は入側文書トレー１０２を通過し、スキャナー１０４の下を通った後、別の出側文書トレーへも返される。イメージ処理装置１０６はデジタルエレクトロニクスとソフトウェアーの組み合わせで実施される。
＜両面複写＞
本発明では文書（ドキュメント）の両面を容易に複写することができる。両面複写は簡単な紙面供給と紙面の誤った供給を速やかに解消する。
【００１５】
図４は本発明の１つの実施形態を示すもので、両面複写の工程を説明するための優れたフローチャートである。ステップ２０２では、使用者は文書を表面を上に向けて、文書トレー１０２に入れる。ステップ２０４で、文書の各紙面は紙面通路１１２を通り、更に、スキャナー１０４を通過して、各頁の表面のイメージを捕捉させる。同時に、イメージ処理装置１０６は記憶装置１０８にスキャンされた表面イメージを記憶させる。更に、イメージ処理装置１０６は図５に詳細に示されたイメージ処理工程を実施し、文書の各頁の表面で見られる切り出し（ｂｌｅｅｄ−ｔｈｒｏｕｇｈ）からの裏面の特徴を識別する。これらの特徴は、また、記憶装置１０８にも記憶される。文書のすべての頁が１度スキャンされて上記の方法で処理されると文書は再び入側文書トレー１０２に返る。ステップ２０６では、使用者は文書を裏返して、文書の各頁の裏面が上に向くようにして入れる。ステップ２０８では文書の各頁の裏面に対してスキャンされ、上記の処理が繰り返される。また、スキャンされた各裏面のイメージに対して、記憶装置１０８に記憶された対応する表面のイメージが識別される。この方法により、各頁の表面と裏面のイメージが正しい順序で配列される。かくして、ステップ２１０では、文書は再生され、各頁の表面と裏面がステップ２０８で正しい順序で配列されて、プリンター１１０で印刷される。ステップ２１０では、必要に応じて、片面か両面かのどちらかを再生することができる。
【００１６】
図５は本発明の１つの実施形態に従って、文書の頁表面のスキャンイメージから切り出されたイメージの特徴を抽出する工程を示したフローチャートである。最初のスキャンされたイメージは、グレースケール イメージ（ｇｒａｙ ｓｃａｌｅ ｉｍａｇｅ）であり、そのグレースケール イメージの個々の画素（ｐｉｘｅｌ）は濃淡を示す値を有する。ステップ３０２では、このグレースケールイメージは閾値（ｔｈｒｅｓｈｏｌｄ）処理されて、スキャンされたイメージの２値画像データ（ｂｉｎａｒｙ ｉｍａｇｅ ｄａｔａ）が得られる。
【００１７】
ステップ３０４では、好ましい実施形態として、この２値画像データから関連成分を抽出する。この関連成分は頁の表面の特徴を示すものである。１個の関連成分はイメージを示す一組の連続の黒画素である。特徴を示す関連成分の最小の大きさはスキャンの解像度の関数になる。ステップ３０６では、関連成分に相当するグレースケールイメージの画素は消去される。ステップ３０６の工程で生じるイメージはステップ３０８では、低域のフイルター（ｌｏｗ ｐａｓｓ ｆｉｌｔｅｒ）が行われ、ステップ３１０では、高域のフイルター（ｈｉｇｈ ｐａｓｓ ｆｉｌｔｅｒ）が実施される。ステップ３１２では、処理されたグレースケールイメージが閾値処理されて、２値画像が得られる。ステップ３１２で得られる２値画像は、スキャンされたグレースケールイメージのうち、ステップ３０６で前記関連成分（表面画像部分）の画素を消去した上で、ステップ３０８、３１０でのフィルタ処理とステップ３１２での閾値処理とにより得られる裏面からの裏写り画像であって文書の裏面の一部を切り出したもの（以下、切り出し画像という）である。ステップ３１４で、好ましい実施形態として、切り出し画像の特徴成分が抽出されて、抽出された特徴は記憶装置１０８に記憶される。
【００１８】
或る実施形態では、特徴の抽出および照合は切り出し画像の一部に対して実施する場合もある。
特徴を照合する１つの実施形態では、抽出された特徴が文書の言語の長さを算出するために使用される。それは、共に譲渡（ｃｏ−ａｓｓｉｇｎｅｄ）された米国特許出願第０８／５２３,７３１号に記載されている。なお、この特許出願は本願に引用されている。
【００１９】
１つの実施形態では、抽出された特徴は文書の特徴のアンカーポイント（ａｎｃｈｏｒ ｐｏｉｎｔ）である。アンカーポイントは文書画像のライン毎に圧縮された表示（ｌｉｎｅ−ｂｙ−ｌｉｎｅ ｃｏｍｐｒｅｓｓｅｄ ｒｅｐｒｅｓｅｎｔａｔｉｏｎ）において、パスコード（ｐａｓｓ ｃｏｄｅ）であってもよい。或るラインの圧縮された表示内のパスコードは、前のラインのパスコードの実質的に上方にある一連の白または黒の画素が現ライン上には見えないこと（変化していること）を示す。ＣＣＩＴＴで定義されたグループ３およびグループ４のファクシミリ標準符号化方式は、抽出された特徴の圧縮に使用できる、パスコードを使用した圧縮スキーム（ｃｏｍｐｒｅｓｓｉｏｎ ｓｃｈｅｍｅｓ）の一例である。従って、ステップ３１４は、結果として生じるパスコード（ｒｅｓｕｌｔｉｎｇ ｐａｓｓ ｃｏｄｅ）の位置を識別することによって、グループ３またはグループ４タイプの圧縮（ｃｏｍｐｒｅｓｓｉｏｎ）として実施される。パスコードの使用については、米国特許出願第０８／６９５,８２５号に記載されており、この特許出願は本願と共に、共同譲渡される。また、この特許出願の内容は色々の面で引用されている。
【００２０】
図５は関連成分を使用することによって、切り出し画像を得るための方法を示している。けれども、本発明は切り出し画像（裏写り画像）を得るための各種の方法を考慮している。図５はその方法の一例を示すもので、表面に印刷された事項によって、表面のイメージの一部を識別する第１のステップと表面に印刷された事項（印刷画像を表す画素群）に含まれない表面イメージ画素（印刷画像を表さない画素群）である切り出し画像を識別する第２のステップとを含むものである。
【００２１】
図７は、本発明に従って得られる切り出し画像の一例を示すもので、この画像はステップ３１２で得られる。図８は、図７の切り出し画像から抽出された特徴の一例を示すもので、ステップ３１４で得られる。
図６は本発明の１つの実施形態を示すもので、文書の頁の裏面のスキャンイメージから裏面のイメージに対応する特徴を抽出する工程を説明するフローチャートである。図６の工程では特定の裏面のイメージ用にステップ２０８の処理の一部を実施する。ステップ４０２では、裏面のイメージを閾値処理して、２値画像データを得る。図６の残りのステップの目的は、ステップ２０４でスキャンされた表面イメージで、特定の裏面のイメージを識別することである。ステップ４０４−４１２が既に記憶装置１０８に記憶されている各表面イメージに対して、繰り返し実施されることが好ましい。ステップ４０４では、特定の表面イメージに対して、既に、抽出された関連成分（表面画像部分）のデータが検索される。ステップ４０６では、この検索された関連成分に相当する画素は、ステップ４０２で得られた２値裏面イメージから消去される。ステップ４０８では、ステップ４０６で処理された裏面の２値画像はそれ自身の特徴を有し、この特徴は図５のステップ３１４で特徴を抽出したのと同じ方法で抽出される。ステップ４０６で得られた裏面のイメージは、ステップ３１４で作成された表面側における裏写り画像である切り出し画像に対応するもの（同一の画像領域に存在する画像）である。このようにして、ステップ４０８で特徴が抽出されると、この特徴はステップ３１４で抽出された表面側への裏写り画像の特徴成分と照合可能となる。ステップ４１０では、ステップ４０８の裏面イメージから抽出された特徴が、ステップ３１４で既に抽出された特定の表面イメージ（切り出し画像）の特徴と比較される。ハウスドルフ ディスタンス メトリック（Ｈａｕｓｄｏｒｆｆ ｄｉｓｔａｎｃｅ ｍｅｔｒｉｃ）を使用して、各々の特徴のセット間で対応させるのが好ましい。ハウスドルフ ディスタンス メトリックおよび変形されたハウスドルフ ディスタンス メトリックは米国特許出願第０８／０９５,８２５号に記載されている。有名なユークリッド ディスタンス メトリック（Ｅｕｃｌｉｄｅｎ ｄｉｓｔａｎｃｅ ｍｅｔｒｉｃ）も、また使用することができる。ステップ４１２では最終の特定の表面イメージが裏面のイメージと対応するかどうかを判定する。もし、他の表面イメージがこの裏面イメージに対応するようであれば、この処理は前の表面イメージを対象にするために、ステップ４０４へ戻る。もし、最終頁の特定の表面イメージが対応するならば、この工程はステップ４１４へ移る。ステップ４１４では、ステップ４１０において、判定されたように、裏面イメージに対応する表面イメージが判定される。
【００２２】
もし、裏面イメージに対応する特定の表面イメージ（切り出し画像）が見つからないならば、各表面イメージをさかのぼってチエックし、すなわち早送りでめくり返して、探すこともできる。もし、対応する頁が見つからないならば、表示されない頁を示し、使用者へ警告される。
＜供給ミスによる二重スキャンイメージの除去＞
図９は本発明の１つの実施形態に示すもので、二重イメージを除去する工程を説明するフローチャートである。この特徴は複写機、ファクシミリ機、スキャナー等に適用される。ステップ７０２では、文書のすべての頁がスキャンされる。ステップ７０４では、特徴はステップ７０２でとらえられた文書イメージから抽出される。これらの特徴はステップ３１４で説明されたようなグループ３またはグループ４のパスコードである。ステップ７０６は、ステップ７０４で得られた各特徴のセットが他の特徴のセットと比較され、偶発的に１個以上スキャンされた頁を識別する。これらの頁は上述したように、ハウスドルフまたはユウクリッド ディスタンス メトリックを用いて識別することができる。ステップ７０８では、システムは２回スキャンされた頁を適時、使用者へ警告する。ステップ７１０では、２回スキャンされた各頁があったとしても、各頁の１枚のコピーが印刷される。ファクシミリ機の関係では、各頁の各コピーが電話ネットワークによって電送される。この手法は図４〜図６で説明した両面複写手法と結合することができる。
【００２３】
上記の文書取扱方法は、また、スキャンされたイメージデータを用いて、正しい頁の配列を充分確認することができる。スキャンされたイメージデータに基づいて、頁の配列を確認する方法は米国特許出願第０８／６１４,９１３号に記載されている。誤った頁の配列が見出された場合には、使用者に警告されるか、または、イメージが回転し、自動的に正しい配列になるように修正されることもできる。
【００２４】
上記の記述においては、本発明は特定の模範的な実施形態により説明された。しかしながら、本発明の各種の変形態様が本発明の広い精神と範囲から離れることなしに、類似物の全範囲にわたって、本願の特許請求範囲に含まれることは明らかである。
【００２５】
【発明の効果】
本発明によれば、ドキュメントからの裏写り画像を活用することによって、ドキュメントの両面を取扱うシステムと方法の改善を図ることができる。各ドキュメント（文書）の表面とその裏面のイメージを互いに対応付けることにより、複写、ファックス、スキャン等において、頁順序の正しい出力文書を確実に提供することができ、さらに、見逃した頁をも検出して修正することができる。その結果、文書類の画像を処理する際の信頼性を向上させることができる。さらに、複数の文書の各頁のイメージデータを比較し、２回スキャンした頁を識別するようにすれば、二重写しを防ぐことができる。
【図面の簡単な説明】
【図１】  本発明を実施するためのコンピューターシステムを示す。
【図２】  本発明を実施するために適した複写機を示す。
【図３】  本発明を実施するために適したファックス機を示す。
【図４】  本発明の１つの実施形態に従って文書の頁の両面を取扱う工程を示す優れたフローチャトである。
【図５】  本発明の１つの実施形態に従って文書の頁の表面のスキャンされたイメージから切り出されたイメージの特徴を抽出する工程を示すフローチャートである。
【図６】  本発明の１つの実施形態に従って文書の頁の裏面から表面に対応する特徴を抽出する工程を示すフローチャトである。
【図７】  本発明の１つの実施形態に従って得られた裏写り画像である切り出し画像の一例を示す。
【図８】  本発明の１つの実施形態に従って得られた切り出し画像から抽出された特徴の一例を示す。
【図９】  本発明の１つの実施形態に従って二重イメージを除去する工程を示すフローチャートである。
【符号の説明】
１０： コンピュターシステム
１２： バス
１４： 中央処理装置（制御手段）
３４： スキャナー（イメージ検出器）
１００： 複写機
１０６： イメージ処理装置
１０８： 記憶装置
１１０： プリンター
１１６： ファクシミリ機
【図１】
0003880723.tif 000002
【図２】
0003880723.tif 000003
【図３】
0003880723.tif 000004
【図４】
0003880723.tif 000005
【図５】
0003880723.tif 000006
【図６】
0003880723.tif 000007
【図７】
0003880723.tif 000008
【図８】
0003880723.tif 000009
【図９】
0003880723.tif 000010